(57)【特許請求の範囲】
【請求項１】
固定部材に対し軸受を介して回転自在に支持されロータマグネットを有するロータと、該ロータマグネットに対向するように前記固定部材に対し一体的に支持されたステータと、該ステータのコイル線端部を前記固定部材の裏面側に配設された装置回路基板のモータ回路に接続するためのフレキシブル回路基板とを備えたスピンドルモータを有し、該スピンドルモータのロータに記録ディスクを保持してこれを回転駆動するディスク駆動装置において、
前記固定部材の下面には、前記ステータに対応して位置し前記ステータのコイル線端部を導出するための案内孔が透設されたコイル線接続部と、該コイル線接続部に隣接しこれより前記固定部材の下面からみて段差を持って低くなった外部接続部とが形成されており、
前記フレキシブル回路基板は、基部が前記コイル線接続部に貼着されて該基部のランド部に前記案内孔より導出した前記コイル線端部が接続されると共に、先端部が前記外部接続部に貼着されて前記ランド部に電気的に導通する該先端部の端子部が外部回路に接続されるように形成されており、
かつ、前記固定部材の前記外部接続部には、前記フレキシブル回路基板の先端部の先端縁が係合してその跳ね上がりを防止する突起が形成されていることを特徴とするディスク駆動装置。
【請求項２】
前記固定部材の前記コイル線接続部、前記外部接続部及び該両接続部を結ぶ側面部は前記フレキシブル回路基板が収容される程度に連続的に凹窪状に形成されている請求項１記載のディスク駆動装置。
【請求項３】
前記フレキシブル回路基板の基部のランド部には、前記案内孔に対応してコイル線挿通孔が透設され、前記案内孔及び前記挿通孔より導出したコイル線端部を前記ランド部にはんだ付けすることにより、前記案内孔が閉塞される請求項１記載のディスク駆動装置。
【請求項４】
前記固定部材の前記外部接続部に形成された突起は、前記フレキシブル回路基板の先端部に部分的に対応している請求項１記載のディスク駆動装置。
【請求項５】
前記フレキシブル回路基板の前記先端部の端子部は露出形成され、前記装置回路基板上の接触子が前記端子部に弾性的に接触する請求項１記載のディスク駆動装置。
【請求項６】
前記フレキシブル回路基板の前記基部における前記先端部寄りの位置には、前記ランド部及び前記端子部に導通する検査用電極部が露出形成されている請求項１記載のディスク駆動装置。
【発明の詳細な説明】
【０００１】
【発明の属する技術分野】
本発明は、ハードディスクのような記録ディスクをスピンドルモータにより回転駆動するディスク駆動装置に関する。
【０００２】
【従来の技術】
ハードディスク等の記録ディスクを回転してこの記録ディスクに対する情報の読み書きを行うディスク駆動装置においては、記録ディスク回転用のスピンドルモータに対する給電や制御等のために、装置のベース裏面に装置回路基板が配設される。
【０００３】
また、ディスク駆動装置の薄型化のために、モータ部分の底部をベース裏面に凸設し、ベース裏面の回路基板にこの凸設した底部が遊嵌する透孔を設けてモータ部分が回路基板と高さ方向に干渉しないようになっている。
【０００４】
この場合、スピンドルモータと装置回路基板との電気的接続は、フレキシブル回路基板を用いて行われる。すなわち、フレキシブル回路基板は、その基部がモータ底部裏面に貼着され、中腹部がモータ底部の凸形状に添って折れ曲がると共に、先端部がベース裏面とほぼ等しい高さに貼着される。モータ内部のステータのコイル線はベースの裏面側に導出されてフレキシブル回路基板の基部に電気的に接続され、フレキシブル回路基板の先端部に装置回路基板上の接触子が接触することにより、装置回路基板上のモータ制御回路がステータのコイル線に接続される。
【０００５】
【発明が解決しようとする課題】
上述した従来技術にあっては、モータと装置回路基板との間の電気的接続を行うフレキシブル回路基板がその基部及び先端部を貼着した上で折り曲げ状態で使用されるため、特にフレキシブル回路基板の先端部の接着強度が弱かったり、経年変化等によりその接着強度が弱まると、フレキシブル回路基板の先端部が固定部材から剥がれて跳ね上がり、装置回路基板との間の電気的接続が不安定になる等、正常に機能しなくなる問題がある。
【０００６】
本発明は、上述した従来技術が有する問題点に留意してなされたものであり、その目的はフレキシブル回路基板の跳ね上がりを確実に防止することである。
【０００７】
【課題を解決するための手段】
以上の目的を達成するために、本発明に係るディスク駆動装置では、固定部材に対し軸受を介して回転自在に支持されロータマグネットを有するロータと、該ロータマグネットに対向するように前記固定部材に対し一体的に支持されたステータと、該ステータのコイル線端部を前記固定部材の裏面側に配設された装置回路基板のモータ回路に接続するためのフレキシブル回路基板とを備えたスピンドルモータを有し、該スピンドルモータのロータに記録ディスクを保持してこれを回転駆動するディスク駆動装置において、
前記固定部材の下面には、前記ステータに対応して位置し前記ステータのコイル線端部を導出するための案内孔が透設されたコイル線接続部と、該コイル線接続部に隣接しこれより前記固定部材の下面からみて段差を持って低くなった外部接続部とが形成されており、前記フレキシブル回路基板は、基部が前記コイル線接続部に貼着されて該基部のランド部に前記案内孔より導出した前記コイル線端部が接続されると共に、先端部が前記外部接続部に貼着されて前記ランド部に電気的に導通する該先端部の端子部が外部回路に接続されるように形成されており、かつ、前記固定部材の前記外部接続部には、前記フレキシブル回路基板の先端部の先端縁が係合してその跳ね上がりを防止する突起が形成されていることを特徴とするものである。
【０００８】
上記において、固定部材とは、ディスク駆動装置のベースに別部品としてのスピンドルモータのブラケットを取り付ける場合は、ベース及びブラケットがこれに相当し、ブラケットの下面にコイル線接続部及び外部接続部が形成され、ベースに直接スピンドルモータが一体的に構成される場合は、ベースが固定部材に相当する。この固定部材のコイル線接続部に基部が貼着されたフレキシブル回路基板はその中間部が折り曲げられ、先端部が固定部材の外部接続部に貼着される。
【０００９】
この外部接続部に形成された突起は、フレキシブル回路基板の先端部に対向し、その先端縁が突起に係合することができるようになっている。フレキシブル回路基板の先端部の接着力が弱くなって仮に外部接続部から剥がれようとしても、これが突起に係合することにより、フレキシブル回路基板の先端部が跳ね上ることが阻止される。
【００１０】
また、前記スピンドルモータにおいて、前記固定部材の前記コイル線接続部、前記外部接続部及び該両接続部を結ぶ側面部を、前記フレキシブル回路基板が収容される程度に連続的に凹窪状に形成されていることが望ましい。これによって、フレキシブル回路基板を収容するスペースが確保でき、フレキシブル回路基板が固定部材よりはみ出すことがない。
【００１１】
さらに、前記スピンドルモータにおいて、前記フレキシブル回路基板の基部のランド部に、前記案内孔に対応してコイル線挿通孔を透設し、前記案内孔及び前記挿通孔を通って外部に導かれたコイル線端部を前記ランド部にはんだ付けすることができる。これにより、前記案内孔がはんだにより閉塞され、従って、ブラケットの案内孔とフレキシブル回路基板の挿通孔が塞がれ、外部の空気がモータ内部に入ることを防ぐシールの効果がある。
【００１２】
前記スピンドルモータの前記固定部材の前記外部接続部に形成された突起は、前記フレキシブル回路基板の先端部に部分的に対応してもよい。この場合、突起を設けることによってフレキシブル回路基板の跳ね上がりを防ぐことに加え、フレキシブル回路基板の先端部を外部接続部に接着する際に、突起に対応しない部分の先端部を持って外部接続部表面に案内することができ、作業を容易にし、両者の間に隙間を作ることなく確実に接着することができる。
【００１３】
前記スピンドルモータにおけるフレキシブル回路基板の先端部の端子部を露出形成し、固定部材の下面に取り付けられる回路板上の接触子をこの端子部に弾性的に接触するようにしてもよい。また、フレキシブル回路基板の基部における先端部寄りの位置に、ランド部及び端子部に導通する検査用電極部を露出形成することもできる。このように、検査用電極部を接続用電極部とは別に設けることによって、検査工程で接続用電極部に傷が入ることを防ぐことができる。
【００１４】
【発明の実施の形態】
次に、本発明の実施形態について図１乃至図３を参照して詳細に説明する。
図１は本発明のディスク駆動装置の実施の形態をスピンドルモータを中心に示す切断側面図、図２は図１のスピンドルモータの一部を示す下面図、図３は図１のスピンドルモータの正面図である。
【００１５】
この実施形態は、ハードディスク駆動装置に適用した場合であり、装置ベース２にディスク回転用スピンドルモータ１０がディスクを搭載するロータ部分がディスク室４に露出するよう固定され、ベース２の裏面にモータ制御回路を含む装置回路基板６が配設されている。
【００１６】
上記スピンドルモータ１０は、薄皿状のブラケット１２と、このブラケット１２の中央部に植設された固定のシャフト１４と、シャフト１４に一対の軸受１６を介して回転自在に支持されたロータハブ１８と、シャフト１４の基部に対応するようブラケット１２に固定されたステータ２０とを備えており、ブラケット１２及びシャフト１４により固定部材が構成されている。
【００１７】
ブラケット１２は、円環状底壁部１２ａと、この底壁部１２ａの内周部を上方に立ち上げて形成された支持筒部１２ｂと、底壁部１２ａの外周部を上方に立ち上げて形成された側壁部１２ｃと、この側壁部１２ｃの上端部を径方向外方へ膨出して形成された環状段部１２ｄと、この環状段部１２ｄの上端部より径方向外方に延出して形成されたフランジ部１２ｅとを有してなり、支持筒部１２ｂの内側にシャフト１４の基部が圧入，接着などで固定されると共に、支持筒部１２ｂの外周にステータ２０が外嵌固定されている。
【００１８】
ブラケット１２の下面、つまり底壁部１２ａの下面，環状段部１２ｄの下面及びフランジ部１２ｅの下面は下から見て順次段差を持って低くなっており、ブラケット１２がベース２に、フランジ部１２ｅの下面をベース２の上面に当接するよう環状段部１２ｄをベース２のモータ用開口２ａに嵌合させて固定されている。これにより、ブラケット１２は、その環状段部１２ｄの下側の一部、側壁部１２ｃ及び底壁部１２ａがベース２より下方に突出される。
【００１９】
上記ロータハブ１８は、内側に両軸受１６の外輪が嵌合固定される例えばステンレスからなる円筒ブッシュ１８ａと、この円筒ブッシュ１８ａの外周面に外嵌固定された例えばアルミ若しくはアルミ合金よりなるハブ１８ｂと、ハブ１８ｂの下部内周に嵌着された円筒状ヨーク１８ｃと、ヨーク１８ｃの内周面に装着された円筒状ロータマグネット１８ｄからなり、ロータマグネット１８ｄがステータ２０に若干の隙間を介して対向している。ハブ１８ｂにはその下端部に径方向外方に突出するディスク載置部１８ｂ１が設けられ、この上面に１枚若しくは複数枚の記録ディスクが載置されてハブ１８ｂにねじ止めされたクランプにより挟持され、ハブ１８ｂに保持される。ロータ１８の内周部には、上側の軸受１６の上面に軸受１６からのダストなどがディスク室４に流出するのを防止する磁性流体シール２２が、下側の軸受１６の下面にシャフト１４との間で微小ギャップを形成するラビリンスキャップ２４がそれぞれ配設されている。
【００２０】
ステータ２０は周知の通り複数のステータラミネーションを積層してなるステータコア２０ａとこれに巻装された複数相（例えば３相）のコイル線２０ｂとからなり、各相のコイル線２０ｂの端部２０ｂ１及びコモン端部が、ブラケット１２の底壁部１２ａに透設された複数個（この例では４個）の案内孔１２ａ１をそれぞれ通してモータ外部に導出されている。底壁部１２ａの上面には、ステータ２０のコイル線２０ｂとブラケット１２との間の絶縁をより確実にするために絶縁紙２６が装着されており、絶縁紙２６に各案内孔１２ａ１に対応して形成された筒部２６ａがコイル線２０ｂの端部２０ｂ１と案内孔１２ａ１の周縁との接触を回避し、絶縁確保を図っている。
【００２１】
ブラケット１２の下面には、ブラケット１２より導出されたコイル線２０ｂの端部２０ｂ１が電気的に接続されるフレキシブル回路基板（以下ＦＰＣという）２８が貼着されている。ここで、ブラケット１２の下面は上述したように段差を持って形成されているが、その一部に底壁部１２ａから側壁部１２ｃを経て環状段部１２ｄに至るＦＰＣ案内部１２ｆが連続的に凹窪状に形成されている。ＦＰＣ案内部１２ｆの底壁部１２ａに対応する部分がコイル線接続部１２ｆ１となり、この部分に前記案内孔１２ａ１が位置し、ＦＰＣ案内部１２ｆの環状段部１２ｄに対応する部分が外部接続部１２ｆ２となる。ＦＰＣ案内部１２ｆの凹窪状の深さはＦＰＣ２８の厚みより大きく設定され、ＦＰＣ２８がこの案内部１２ｆよりはみ出すことはない。
【００２２】
上記ＦＰＣ２８は、その基部２８ａがＦＰＣ案内部１２ｆのコイル線接続部１２ｆ１に貼着され、中間部２８ｂがＦＰＣ案内部１２ｆの側壁部１２ｃ対応位置に配置され、先端部２８ｃがＦＰＣ案内部１２ｆの外部接続部１２ｆ２に貼着されている。ＦＰＣ２８の基部２８ａはコイル線端部などをはんだ接続するために比較的大きく形成されており、図２より明らかなように、前記各案内孔１２ａ１に対応して４個のランド部２８ａ１が設けられると共に、このそれぞれのランド部２８ａ１の中央に案内孔１２ａ１に連通するコイル線挿通孔２８ａ２が透設され、各案内孔１２ａ１に挿通されたコイル線２０ｂの端部２０ｂ１及びコモン端部がコイル線挿通孔２８ａ２を通って外部に導出され、かつランド部２８ａ１にはんだ付けされる。図１より理解されるように、コイル線２０ｂの端部２０ｂ１及びコモン端部の接続のためにランド部２８ａ１に設けられたはんだ部３０はコイル線挿通孔２８ａ２を閉塞しており、これにより、外部空気が挿通孔２８ａ２及び案内孔１２ａ１を通ってモータ内部に入り込むこと或いはその逆が防止される。
【００２３】
ＦＰＣ２８の中間部２８ｂ及び先端部２８ｃは、４個の銅箔パターンを並設するに必要な幅で基部２８ａの約半分の幅に形成されており、先端部２８ｃには、各ランド部２８ａ１にそれぞれ電気的に導通する４個の端子部２８ｃ１が露出形成されている。前記装置回路基板６には、ＦＰＣ２８の先端部２８ｃに対応する位置に各端子部２８ｃ１に弾性を持って接触するばね接触子６ａが設けられている。この各接触子６ａは、装置回路基板６に設けられたモータ制御回路に接続されており、従って、ステータ２０の各コイル線２０ｂがＦＰＣ２８及び接触子６ａを介してモータ制御回路に接続される。
【００２４】
ＦＰＣ２８の基部２８ａには、先端部寄りに各ランド部２８ａ１及び各端子部２８ｃ１にそれぞれ導通する検査用電極部２８ａ３が露出形成されている。この電極部２８ａ３は、例えばモータ単体で検査する場合や試験用にロータを回転する場合に使用され、端子部２８ｃ１を用いる必要がないので装置にスピンドルモータ４を搭載するまでに端子部２８ｃ１が傷付くなどの不具合がない。
【００２５】
ブラケット１２の外部接続部１２ｆ２には、その端縁にＦＰＣ２８の先端部２８ｃに対向する突起３２が形成され、先端部２８ｃの一部の端縁が突起３２に係合できるようになっている。この突起３２は少なくともＦＰＣ２８の厚みより長い寸法を外部接続部１２ｆ２の底面より突出させて形成されており、その幅方向寸法は、先端部２８ｃの幅の約１／３に設定されている。ここで、突起３２を先端部２８ｃの幅に合わせて形成しないのは、ＦＰＣ２８の先端部２８ｃをピンセットなどの工具を用いて外部接続部１２ｆ２の底面位置に案内した際、この工具の外部接続部１２ｆ２からの逃げを形成するためである。
【００２６】
ＦＰＣ２８はフラットな状態で形成されるのが普通であり、それ自身弾性を有することから、ＦＰＣ２８を折り曲げた状態で使用した際、常に復元力をともなっている。上記ＦＰＣ２８は、折り曲げをともなってその基部２８ａ及び先端部２８ｃがそれぞれコイル線接続部１２ｆ１及び外部接続部１２ｆ２に貼着されるが、コイル線端部１２ａ１及びコモン端部をはんだ固定している点及び面積が大きい点から基部２８ａの接着強度の方が先端部２８ｃより大きくなっている。従って、ＦＰＣ２８のブラケット１２に対する貼着力の低下や経年変化による貼着性能の劣化は先端部２８ｃに生じやすく、先端部２８ｃが外部接続部１２ｆ２より浮き上がったり跳ね上がり、接触子６ａとの接触状態が不安定になりやすい。
【００２７】
上述した実施形態では、ＦＰＣ２８の先端部２８ｃに対向するようブラケット１２の外部接続部１２ｆ２に突起３２を設けているため、仮に先端部２８ｃの貼着力が低下して外部接続部１２ｆ２からの浮き上がりを生じようとしても、先端部２８ｃの先端縁が突起３２に当接、係合してそれ以上変位を生じることを防止することができるため、先端部２８ｃの跳ね上がりを確実に防止することができ、結果的に接触子６ａとの接触状態の安定化を維持することが可能となる。
【００２８】
なお、上述した実施形態では、スピンドルモータ４のブラケット１２を装置ベース２に取り付けた形態のディスク駆動装置について説明したが、ベースに直接スピンドルモータを組み込むベース一体型スピンドルモータの場合にも本発明を同様に適用することができる。この場合、ベースのモータに対応する部分つまりスピンドルモータの固定部材にコイル線接続部及び外部接続部を段差を持って形成すればよい。
【００２９】
また、外部接続部に形成する突起は、ＦＰＣの先端部に対向して少なくともその一部に係合すればよく、ＦＰＣの先端部に部分的に或いは全体に対向するものでよい。
【００３０】
【発明の効果】
本発明のディスク駆動装置は、以上説明したように構成されているため、つぎに記載の効果を奏する。
請求項１記載のディスク駆動装置にあっては、スピンドルモータの固定部材に段差を持って形成されたコイル線接続部及び外部接続部にそれぞれ、フレキシブル回路基板の基部及び先端部を貼着すると共に、外部接続部にフレキシブル回路基板の先端部の先端縁が係合する突起を形成するようにしたので、先端部の貼着力の低下が生じてもその先端縁が突起に係合することにより先端部の跳ね上がりを確実に防止することができ、この先端部の端子部と装置回路基板との間の接続状態を安定に維持することができ、信頼性を高めることができる。
【００３１】
また、請求項２記載のディスク駆動装置にあっては、固定部材のコイル線接続部及び外部接続部並びにこの両者を結ぶ側面部を連続的に凹窪状に形成したので、フレキシブル回路基板が固定部材からはみ出すことがなく、フレキシブル回路基板が他の部品と干渉したり、何らかの要因で傷つけられたりすることを防止できる。
【００３２】
さらに、請求項３記載のディスク駆動装置にあっては、フレキシブル回路基板の基部のランド部にブラケットの案内孔に対応するコイル線挿通孔を透設して、コイル線を接続するはんだによりこのコイル線挿通孔を閉塞するようにしたので、案内孔を間接的に閉塞することができ、案内孔及びコイル線挿通孔を介したモータ内外の空気などの流通を確実に防止することができる。
【００３３】
請求項４記載のディスク駆動装置にあっては、固定部材の外部接続部に形成された突起をフレキシブル回路基板の先端部に部分的に対応させるため、この先端部を外部接続部に案内する作業が容易になり、作業性が良好になる。
【００３４】
請求項５に記載のディスク駆動装置にあっては、フレキシブル回路基板の先端部の端子部を露出形成し、これに装置回路基板上の接触子を弾性接触するため、フレキシブル回路基板の先端部の跳ね上がりを防止して接続状態の安定維持と併せて、スピンドルモータと装置回路基板との接続構造がより簡単で取り扱いが良好となる。
【００３５】
請求項６記載のディスク駆動装置にあっては、フレキシブル回路基板の基部に検査用電極部を露出形成したことにより、フレキシブル回路基板の先端部を用いることなく、種々の検査をモータ単体で実施することができる。
【図面の簡単な説明】
【図１】本発明の記録ディスク駆動装置の実施の形態を示す切断側面図である。
【図２】図１のスピンドルモータの一部の底面部である。
【図３】図１の正面図である。
【符号の簡単な説明】
２      ベース
６      装置回路基板
６ａ    接触子
１０      スピンドルモータ
１２      ブラケット
１２ａ１  案内孔
１２ｆ１  コイル線接続部
１２ｆ２  外部接続部
１６      軸受
１８      ロータ
１８ｄ    ロータマグネット
２０      ステータ
２０ｂ    コイル線
２０ｂ１  端部
２８      フレキシブル回路基板（ＦＰＣ）
２８ａ    基部
２８ａ１  ランド部
２８ａ２  コイル線挿通孔
２８ａ３  検査用電極部
２８ｃ    先端部
２８ｃ１  端子部
３０      はんだ
３２      突起
【図１】
0004141598.tif 000002
【図２】
0004141598.tif 000003
【図３】
0004141598.tif 000004